(57)【要約】      （修正有）【課題】電気錠と共に種々の機器について、セキュアを確保しつつ、利便性の向上を図る電気錠制御システムを提供する。【解決手段】電気錠制御システム１は、第１出力部Ａ１と、第２出力部Ａ２と、を備える。第１出力部Ａ１は、建物の開口部を開閉する開閉部材を施錠又は解錠する電気錠２を制御する錠制御情報を出力する。第２出力部Ａ２は、電気錠２以外の少なくとも１つの機器（例えば開閉装置６）を制御する機器制御情報、又は機器の状態に関する情報を要求する状態要求情報を出力する。【選択図】図１
2019108683.tif 000002
【特許請求の範囲】
【請求項１】
建物の開口部を開閉する開閉部材を施錠又は解錠する電気錠を制御する錠制御情報を出力する第１出力部と、
前記電気錠以外の少なくとも１つの機器を制御する機器制御情報、又は当該機器の状態に関する情報を要求する状態要求情報を出力する第２出力部と、を備える
電気錠制御システム。
【請求項２】
前記錠制御情報に関するユーザ操作を受け付ける第１入力部と、
前記機器制御情報又は前記状態要求情報に関するユーザ操作を受け付ける第２入力部と、を更に備える
請求項１に記載の電気錠制御システム。
【請求項３】
前記第１入力部と前記第２入力部とは、互いに異なるインターフェースにより構成されている
請求項２に記載の電気錠制御システム。
【請求項４】
前記錠制御情報、前記機器制御情報及び前記状態要求情報のうち少なくとも１つに関するユーザ操作を受け付ける通信端末と無線通信する通信インターフェースを、更に備える
請求項１〜３のいずれか１項に記載の電気錠制御システム。
【請求項５】
前記電気錠への動作電力を供給する電源部を、更に備える
請求項１〜４のいずれか１項に記載の電気錠制御システム。
【請求項６】
前記電気錠の施錠又は解錠を許可する鍵情報が付与された鍵装置と無線通信する通信インターフェースと、
前記鍵装置から受信した前記鍵情報に対する認証処理を実行する認証部と、を更に備える
請求項１〜５のいずれか１項に記載の電気錠制御システム。
【請求項７】
前記電気錠の状態に関する情報、前記電気錠の制御に関する情報、前記機器の状態に関する情報、及び前記機器の制御に関する情報のうち少なくとも１つを、提示する提示部を、更に備える
請求項１〜６のいずれか１項に記載の電気錠制御システム。
【請求項８】
前記機器は、前記建物を含む管理領域内における開放領域を開閉する扉部材の開閉装置である
請求項１〜７のいずれか１項に記載の電気錠制御システム。
【請求項９】
請求項１に記載の電気錠制御システムと無線通信し、かつ、表示部を有した情報端末における、当該表示部への表示方法であって、前記情報端末には、前記電気錠の施錠又は解錠を許可する鍵情報が付与されていて、
当該表示方法は、
前記電気錠の状態又は前記電気錠の制御に関する情報を、前記表示部に表示する第１ステップと、
前記機器の状態又は前記機器の制御に関する情報を、前記表示部に表示する第２表示ステップと、を有する
表示方法。
【請求項１０】
請求項１に記載の電気錠制御システムと無線通信し、かつ、表示部を有した情報端末における表示機能を、コンピュータシステムに実行させるプログラムであって、
当該プログラムは、
前記電気錠の状態又は前記電気錠の制御に関する情報を、前記表示部に表示させる第１ステップと、
前記機器の状態又は前記機器の制御に関する情報を、前記表示部に表示させる第２表示ステップと、を含む
プログラム。
【発明の詳細な説明】
【技術分野】
【０００１】
本発明は、一般に、電気錠制御システム、表示方法、及びプログラムに関する。より詳細には、本発明は、建物に設けられた開閉部材を施錠又は解錠する電気錠を制御する電気錠制御システム、並びに、当該電気錠制御システムと無線通信する情報端末における表示方法及びプログラムに関する。
【背景技術】
【０００２】
従来例として、特許文献１に記載の電気錠システムを例示する。この電気錠システムでは、建物のドアに設けられた錠を電動で施錠又は解錠する。電気錠システムは、例えば住宅の玄関ドアに設けられた錠前を電動で施錠又は解錠する電気錠装置と、住宅の住人などが錠前の施錠又は解錠を行うために使用する携帯機（鍵装置）と、を備える。電気錠装置は、第１通信部と錠前を駆動する駆動部と制御部とを有する。携帯機は、第２通信部を有する。
【０００３】
第１通信部は、第２通信部との間で無線通信を行うことにより携帯機から認証情報（鍵情報）を取得する。制御部は、第１通信部からの認証情報とメモリに登録されている認証情報とを照合し、両者が一致する場合に駆動部を制御して錠前を施錠又は解錠させる。
【先行技術文献】
【特許文献】
【０００４】
【特許文献１】特開２０１６−０３０８９４号公報
【発明の概要】
【発明が解決しようとする課題】
【０００５】
ところで、建物のドア（玄関扉）の電気錠については、鍵装置に付与された鍵情報と電気錠装置側の認証情報とを照合するため、比較的高いセキュアな状態が確保された中での解錠、施錠の制御が行われる。一方、その建物を含む管理領域内には、玄関扉の電気錠以外にも様々な（制御）機器が存在し得る。そして、ユーザにとっては、それらの機器の中には、セキュア面を考慮して、玄関扉の電気錠の制御と共に、機器の制御や機器の状態等の監視を行いたいという場合もある。
【０００６】
本発明は上記事由に鑑みてなされ、電気錠と共に種々の機器について、セキュアを確保しつつ、利便性の向上を図ることができる、電気錠制御システム、表示方法、及びプログラムを提供することを目的とする。
【課題を解決するための手段】
【０００７】
本発明の一態様に係る電気錠制御システムは、第１出力部と、第２出力部と、を備える。前記第１出力部は、建物の開口部を開閉する開閉部材を施錠又は解錠する電気錠を制御する錠制御情報を出力する。前記第２出力部は、前記電気錠以外の少なくとも１つの機器を制御する機器制御情報、又は当該機器の状態に関する情報を要求する状態要求情報を出力する。
【０００８】
本発明の一態様に係る表示方法は、上記の電気錠制御システムと無線通信し、かつ、表示部を有した情報端末における、当該表示部への表示方法である。前記情報端末には、前記電気錠の施錠又は解錠を許可する鍵情報が付与されている。当該表示方法は、前記電気錠の状態又は前記電気錠の制御に関する情報を、前記表示部に表示する第１ステップと、前記機器の状態又は前記機器の制御に関する情報を、前記表示部に表示する第２表示ステップと、を有する。
【０００９】
本発明の一態様に係るプログラムは、上記の電気錠制御システムと無線通信し、かつ、表示部を有した情報端末における表示機能を、コンピュータシステムに実行させるプログラムである。当該プログラムは、前記電気錠の状態又は前記電気錠の制御に関する情報を、前記表示部に表示させる第１ステップと、前記機器の状態又は前記機器の制御に関する情報を、前記表示部に表示させる第２表示ステップと、を含む。
【発明の効果】
【００１０】
本発明は、電気錠と共に種々の機器について、セキュアを確保しつつ、利便性の向上を図ることができる、という利点がある。
【図面の簡単な説明】
【００１１】
【図１】図１は、一実施形態に係る電気錠制御システムを含む電気錠システムのシステム構成図である。
【図２】図２は、同上の電気錠システムの使用例を示す概略図である。
【図３】図３Ａ〜３Ｄは、同上の電気錠システムにおける開閉装置の具体例を示す図である。
【図４】図４Ａは、同上の電気錠制御システムにおけるコントローラユニットの第１操作部の概略ブロック図である。図４Ｂは、同上のコントローラユニットの第２操作部の概略ブロック図である。
【図５】図５は、同上の電気錠システムの動作を説明するシーケンス図である。
【図６】図６は、同上の電気錠システムの動作を説明するシーケンス図である。
【図７】図７は、同上の電気錠システムの動作を説明するシーケンス図である。
【発明を実施するための形態】
【００１２】
（１）概要
以下の実施形態は、本発明の様々な実施形態の一つに過ぎない。以下の実施形態は、本発明の目的を達成できれば、設計等に応じて種々の変更が可能である。また、以下の実施形態において説明する図１〜図７は、模式的な図であり、図１〜図７中の各構成要素の大きさや厚さそれぞれの比が、必ずしも実際の寸法比を反映しているとは限らない。
【００１３】
本実施形態の電気錠制御システム１は、図１に示すように、第１出力部Ａ１と、第２出力部Ａ２と、を備えている。第１出力部Ａ１は、建物７（図２参照）の開口部７０を開閉する開閉部材７１を施錠又は解錠する電気錠２を制御する錠制御情報を出力する。第２出力部Ａ２は、電気錠２以外の少なくとも１つの機器を制御する機器制御情報、又は当該機器の状態に関する情報を要求する状態要求情報を出力する。
【００１４】
以下では、建物７が一例として戸建て住宅であり、開閉部材７１は、図２に示すように、玄関扉であることを想定する。ただし、建物７は、戸建て住宅に限定されず、例えば、複数の住戸を有する集合住宅であってもよい。この場合、個々の住戸の内側と外側とを隔てる扉が開閉部材７１であってもよい。あるいは、建物７は、住宅に限らず、テナントビルや、オフィスビル、公共施設、学校、病院、工場等であってもよい。
【００１５】
また以下では、電気錠２以外の（少なくとも１つの）機器は、建物７を含む管理領域９内における開放領域９０を開閉する開閉装置６（電動窓シャッターや電動窓サッシ、電動門扉、ガレージの電動ゲート等）であることを想定する。電気錠２以外の機器は、電気機器であれば特に限定されず、例えばエアコンディショナや、テレビジョン等でもよいし、その数も、１つ以上であれば特に限定されない。ここでは、機器の数は、一例として４つ（第１〜第４開閉装置６Ａ〜６Ｄ）であることを想定する。本実施形態では、建物７が戸建て住宅であるため、管理領域９は、例えば建物７が建っている敷地に相当する。管理領域９は、互いに所定の距離だけ離れた第１管理領域と第２管理領域とに分かれていて、建物７が第１管理領域内に、開放領域９０が第２管理領域内に配されていてもよい。
【００１６】
ところで、本実施形態の電気錠制御システム１は、当該システムの主要構成の１つをなし、電気錠２を制御する電気錠制御装置３と４つの開閉装置６との制御及び監視を行うコントローラユニット５を備えている。本実施形態では、一例として、第１出力部Ａ１及び第２出力部Ａ２が、（後述する）第２通信部５２及び第３通信部５３として、コントローラユニット５に配されていることを想定する。
【００１７】
本実施形態の電気錠制御システム１の構成によれば、第１出力部Ａ１及び第２出力部Ａ２を備えているため、電気錠２と共に種々の機器について、セキュアを確保しつつ、利便性の向上を図ることができる。
【００１８】
（２）詳細
（２．１）全体構成
以下、本実施形態の電気錠制御システム１の全体構成について詳しく説明する。電気錠制御システム１は、建物７の開口部７０を開閉する開閉部材７１を施錠又は解錠する電気錠２を制御する基本制御に加えて、複数（ここでは４つ）の開閉装置６の制御、及びこれらの開閉装置６の状態監視（情報の提示等）も可能なシステムである。電気錠制御システム１は、電気錠２及び４つの開閉装置６と共に、電気錠システム１００を構成する（図１参照）。なお、図１では、開閉装置６の図示は、代表図として１つのみとしている。
【００１９】
電気錠制御システム１は、上の「（１）概要」の欄で説明した通り、コントローラユニット５を備えている。更に、電気錠制御システム１は、電気錠制御装置３と、鍵装置４と、操作ユニット８と、を備えている。なお、以下では、戸建て住宅である建物７の住人であり、鍵装置４の所有者を、ユーザ１０（図２参照）と呼ぶ。
【００２０】
本実施形態では、上の「（１）概要」の欄で説明した通り、一例として、第１出力部Ａ１及び第２出力部Ａ２がコントローラユニット５に設けられていることを想定する。
【００２１】
第１出力部Ａ１は、「錠制御情報」を含む信号（第１制御信号）を、電気錠制御装置３に出力する。また、第１出力部Ａ１は、「錠状態要求情報」を含む信号（第１要求信号）を、電気錠制御装置３に出力する。第１要求信号を出力する構成は、電気錠制御システム１において必須ではなく、行われなくてもよい。
【００２２】
第２出力部Ａ２は、「機器制御情報」を含む信号（第２制御信号）を、各開閉装置６を制御する制御ユニット６４に出力する。また、第２出力部Ａ２は、「機器状態要求情報」を含む信号（第２要求信号）を、制御ユニット６４に出力する。第２制御信号及び第２要求信号の両方の出力する構成は、電気錠制御システム１において必須ではなく、いずれか一方のみを出力するように構成されていてもよい。
【００２３】
「錠制御情報」とは、電気錠２の制御に関する情報である。錠制御情報は、電気錠２の施錠、又は解錠に関する情報を含む。「錠状態要求情報」とは、電気錠２の状態（施錠状態又は解錠状態等の状態）に関する情報を要求する情報である。
【００２４】
「機器制御情報」とは、開閉装置６の開動作、閉動作に関する制御の情報である。例えば開閉装置６が第１開閉装置６Ａ（図３Ａ参照：電動窓シャッター）である場合、開動作に関する制御の情報は、全開き動作、又は半開き動作等を含んでいてもよい。「機器状態要求情報」とは、一例として、開閉装置６の現在の状態が、開状態又は閉状態のどちらにあるかを示す情報を要求するための情報である。
【００２５】
なお、開閉装置６が第１開閉装置６Ａ（電動窓シャッター）の場合、例えばシャッターが全閉の状態においてシャッターの複数の羽を開閉動作させることで、通風孔の開閉が行えるものもある（採風動作）。この場合には、機器制御情報は、複数の羽の開閉動作に関する制御情報や、複数の羽の角度等に関する制御情報を含んでいてもよい。そして、機器状態要求情報は、複数の羽の開閉状態、角度状態を示す情報を要求するものであってもよい。
【００２６】
（２．２）電気錠
電気錠２は、開閉部材７１（ここでは玄関扉）を解錠又は施錠する。電気錠２は、デッドボルトと、駆動部と、駆動回路と、を有している。駆動回路は、電気錠制御装置３（の錠制御部３０２）から出力される制御信号（解錠信号又は施錠信号）に応じて駆動信号を作成し、この駆動信号を駆動部に出力する。駆動部は、電動モータと、電動モータの駆動力をデッドボルトに伝達する伝達機構と、を備えている。駆動部は、駆動回路から入力される駆動信号に従って駆動モータを駆動する。駆動モータの駆動力が伝達機構を介してデッドボルトに伝達されることによって、デッドボルトが施錠位置又は解錠位置に移動する。ここで、デッドボルトが施錠位置に移動した状態では、デッドボルトの少なくとも一部が、開閉部材７１を支持する扉枠に設けられたボルト穴に挿入されており、この状態では開閉部材７１が閉じた状態で保持される。つまり、開閉部材７１が施錠された状態となる。デッドボルトが解錠位置に移動した状態では、デッドボルトの全体がボルト穴の外に出ており、この状態では開閉部材７１の開閉が可能になる。つまり、開閉部材７１が解錠された状態となる。
【００２７】
（２．３）電気錠制御装置
電気錠制御装置３は、図１に示すように、錠側制御部３０と、錠側通信部３１と、錠側記憶部３２（記憶部）と、ユニット間通信部３３と、を備えている。錠側制御部３０は、認証部３０１と、錠制御部３０２と、を有している。電気錠制御装置３は、建物７の開閉部材７１に設けられている。錠側制御部３０、錠側通信部３１、及び錠側記憶部３２は、例えば、１つのケースに収容されて、開閉部材７１の内部に埋め込まれている。電気錠制御装置３は、複数の電線Ｓ１（図示例では１本）を通じてコントローラユニット５と電気的に接続されている。電気錠制御装置３は、電線Ｓ１の電源ラインを通じてコントローラユニット５から電力供給を受けて動作する。また、電気錠制御装置３は、電線Ｓ２を通じて電気錠２と電気的に接続され、更に、電線Ｓ３を通じて操作ユニット８と電気的に接続されている（図１参照）。
【００２８】
錠側制御部３０は、例えば、プロセッサ及びメモリを有するマイクロコンピュータで構成されている。つまり、錠側制御部３０は、プロセッサ及びメモリを有するコンピュータシステムで実現されている。そして、プロセッサが適宜のプログラムを実行することにより、コンピュータシステムが錠側制御部３０として機能する。プログラムは、メモリに予め記録されていてもよいし、インターネット等の電気通信回線を通じて、又はメモリカード等の非一時的な記録媒体に記録されて提供されてもよい。錠側制御部３０は、錠側通信部３１、ユニット間通信部３３、及び電気錠２を制御する。
【００２９】
錠側通信部３１は、例えば、アンテナと、通信回路と、を有している。錠側通信部３１は、鍵装置４との間で電波を媒体とする無線通信を行う。無線通信にて使用する周波数帯域は、例えば、４２０ＭＨｚ帯、９２０ＭＨｚ帯、２．４ＧＨｚ帯などである。錠側通信部３１は、例えばＢＬＥ（Bluetooth（登録商標） Low Energy）の規格に準拠した近距離無線通信を行うように構成されている。ここで、「ＢＬＥ」とは、無線ＰＡＮ（Personal Area Network）技術であるＢｌｕｅｔｏｏｔｈ（登録商標）の仕様における、低消費電力仕様の呼称である。錠側通信部３１は、錠側制御部３０からの指令に従って、ビーコン信号を送信する。また、錠側通信部３１は、ビーコン応答を受信する。ビーコン応答は、ビーコン信号に応答した（後述する）鍵側通信部４１から送信される。つまり、錠側通信部３１は、信号の送信機能及び受信機能を有しており、鍵側通信部４１との間で双方向の通信を行うように構成されている。
【００３０】
ユニット間通信部３３は、例えば、電線Ｓ１の信号ラインを通じて、コントローラユニット５の（後述する）第２通信部５２（第１出力部Ａ１）と通信する。つまり、電気錠制御装置３は、コントローラユニット５と有線通信にて双方向に通信を行うように構成されている。なお、ユニット間通信部３３及び第２通信部５２間の通信は、無線通信でもよい。
【００３１】
錠側制御部３０は、ユニット間通信部３３を通じて、コントローラユニット５から錠制御情報を含む第１制御信号を受信する。また、錠側制御部３０は、ユニット間通信部３３を通じて、コントローラユニット５から錠状態要求情報を含む第１要求信号を受信する。錠側制御部３０は、第１要求信号を受信すると、電気錠２の状態を判断して、ユニット間通信部３３を通じて、その判断結果をコントローラユニット５に返信する。錠側制御部３０は、電気錠２の状態を周期的に監視していてもよい。
【００３２】
錠側記憶部３２は、例えば、ＥＥＰＲＯＭ（Electrically Erasable Programmable Read-Only Memory）、フラッシュメモリ等の不揮発性メモリにて構成されている。錠側記憶部３２は、複数の鍵装置４の登録情報等を記憶可能である。例えば、建物７の住人が、ユーザ１０を含めて３人であり、その３人が個々の鍵装置４を携帯する場合、これらの鍵装置４の登録情報が、錠側記憶部３２に登録される。登録情報は、各鍵装置４に固有の識別情報、及び認証処理用の「認証情報」を含む。認証情報は、鍵装置４から送信される鍵情報と一対一に対応している。なお、錠側記憶部３２は、錠側制御部３０が有するメモリであってもよい。
【００３３】
認証部３０１は、錠側通信部３１が鍵装置４から識別情報及び鍵情報を含む無線信号を受信すると、受信した識別情報に対応する認証情報を錠側記憶部３２から読み出し、受信した鍵情報と、認証情報との照合を行うことで、鍵装置４の認証処理を実行する。具体的には、鍵情報に対応する認証情報が錠側記憶部３２に記憶されている場合、認証部３０１による鍵情報の認証が成功となる。一方、鍵情報に対応する認証情報が錠側記憶部３２に記憶されていない場合、認証部３０１による鍵情報の認証が失敗となる。
【００３４】
錠制御部３０２は、認証部３０１が鍵情報の認証に成功すると、電気錠２を制御して開閉部材７１の施錠又は解錠を行う。具体的には、認証部３０１が鍵情報の認証に成功し、錠側通信部３１が鍵装置４からの施解錠要求信号を受信すると、電気錠２の施錠状態と解錠状態とが切り替わるように電気錠２を制御する。このように認証部３０１によって認証処理が行われることで、セキュアの低下が抑制される。
【００３５】
ところで、電気錠制御装置３は、図１に示すように、開閉部材７１の外側に設けられている操作ユニット８とも電気的に接続されている。操作ユニット８は、例えば、各々に０〜９まで数字や記号が表記された複数のタッチキーを有している。ユーザ１０等の人によって、複数のタッチキーを通じて、鍵情報に相当する数字等が入力されると、その入力情報は、電気錠制御装置３に送信される。認証部３０１は、その入力情報に対する認証処理を実行し、認証が成功すると、電気錠２に対する解錠、施錠が可能となる。あるいは、操作ユニット８は、鍵装置４を携帯するユーザ１０が指でタッチ操作することで、解錠又は施錠するための簡易タッチキーを備えていてもよい。
【００３６】
操作ユニット８は、複数のタッチキーの代わりに、又は複数のタッチキーに加えて、ＩＣ（Integrated Circuit）カード内に記憶されている鍵情報を読み取るためのカードリーダー等を有していてもよい。また、操作ユニット８は、開閉部材７１の外側（屋外）ではなく、開閉部材７１の内側（屋内）に設置されていてもよい。
【００３７】
（２．４）鍵装置
本実施形態の鍵装置４は、一例として情報端末（通信端末）である。ここでは、鍵装置４は、例えばスマートフォン、タブレット端末等の携帯端末であることを想定する。鍵装置４は、図１に示すように、鍵側制御部４０と、鍵側通信部４１と、鍵側操作部４２と、鍵側記憶部４３と、表示部４４（提示部Ｃ１）と、ユニット間通信部４５と、を備えている。
【００３８】
鍵側制御部４０は、例えば、プロセッサ及びメモリを有するマイクロコンピュータで構成されている。つまり、鍵側制御部４０は、プロセッサ及びメモリを有するコンピュータシステムで実現されている。そして、プロセッサが適宜のプログラムを実行することにより、コンピュータシステムが鍵側制御部４０として機能する。プログラムは、メモリに予め記録されていてもよいし、インターネット等の電気通信回線を通じて、又はメモリカード等の非一時的な記録媒体に記録されて提供されてもよい。鍵側制御部４０は、鍵側通信部４１、鍵側操作部４２、表示部４４、及びユニット間通信部４５を制御する。
【００３９】
鍵側通信部４１は、例えば、アンテナと、通信回路と、を有している。鍵側通信部４１は、錠側通信部３１との間で、例えばＢＬＥの規格に準拠した近距離無線通信を行うように構成されている。鍵側通信部４１は、錠側通信部３１から送信されるビーコン信号を受信する。また、鍵側通信部４１は、ビーコン信号を受信すると、受信したビーコン信号に対する応答信号を電気錠制御装置３に送信する。つまり、鍵側通信部４１は、信号の送信機能及び受信機能を有しており、錠側通信部３１との間で双方向の通信を行うように構成されている。
【００４０】
表示部４４は、例えば液晶ディスプレイ、有機ＥＬ（Electro Luminescence）ディスプレイ等の薄型ディスプレイ装置である。表示部４４は、鍵側制御部４０によって表示内容が制御される。
【００４１】
鍵側操作部４２は、例えばユーザ１０等の人による操作入力（ユーザ操作）を受け付ける機能を有している。本実施形態では、鍵側操作部４２は、表示部４４を構成するディスプレイ装置に設けられたタッチパネルを有している。タッチパネルは、静電容量方式、感圧式等のタッチセンサを有する。ユーザ１０が表示部４４のディスプレイ装置に触れる操作（タップ操作、スワイプ操作等）を行うと、鍵側操作部４２は、操作に応じた信号を鍵側制御部４０に出力する。なお、鍵側操作部４２は、タッチパネルを有する構成に限定されず、例えば鍵装置４のケースに設けられた押釦スイッチで構成されていてもよいし、鍵装置４のケースに設けられたレバーで構成されていてもよい。
【００４２】
鍵側記憶部４３は、例えばＥＥＰＲＯＭ、フラッシュメモリ等の不揮発性メモリにて構成されている。鍵側記憶部４３は、鍵装置４に割り当てられた個別の識別情報、及び電気錠制御システム１から付与された鍵情報等を記憶する。また、鍵側記憶部４３には、鍵装置４のコンピュータが実行するプログラムが記憶されている。このプログラムは、予めメモリに記憶されていてもよいし、インターネット等の電気通信回線を通じて、又はメモリカード等の非一時的な記録媒体に記録されて提供されてもよい。また、本実施形態のように、鍵装置４がスマートフォン等の情報端末であれば、鍵側記憶部４３には、ユーザ１０が任意にインストールしたアプリケーションが記憶されていてもよい。
【００４３】
ユニット間通信部４５は、例えば、アンテナと、通信回路と、を有している。ユニット間通信部４５は、コントローラユニット５の第１通信部５１との間で、例えばＢＬＥの規格に準拠した無線通信を行うように構成されている。ユニット間通信部４５は、信号の送信機能及び受信機能を有しており、コントローラユニット５の第１通信部５１との間で双方向の通信を行うように構成されている。ユニット間通信部４５と上述した鍵側通信部４１とは、無線信号を送信及び受信するためのアンテナが兼用されてもよいし、別々のアンテナを用いてもよい。また、ユニット間通信部４５と鍵側通信部４１とは、１つの通信部から構成されてもよい。なお、無線通信方式は、ＢＬＥに限定されない。例えば、管理領域９内にルータ（不図示）が設置されていてもよい。そして、当該ルータが、Ｗｉ−Ｆｉ（登録商標）等の無線通信方式により、ユニット間通信部４５、コントローラユニット５の第１通信部５１、並びに開閉システム６０（の通信部６２）と無線接続されていてもよい。
【００４４】
本実施形態の鍵装置４には、電気錠制御装置３との無線通信を行うための専用のアプリケーションソフト（通信アプリケーションソフト）に加えて、コントローラユニット５との無線通信を行うための専用のアプリケーションソフトもインストールされている。以下、コントローラユニット５との通信を行うための専用のアプリケーションソフトを、「監視アプリ」と呼ぶこともある。ユーザ１０は、鍵装置４側にて監視アプリを起動することにより、鍵装置４は、ユニット間通信部４５を通じて、コントローラユニット５との通信が可能となる。
【００４５】
ここで、本実施形態の鍵側操作部４２は、錠制御情報、錠状態要求情報、機器制御情報、及び機器状態要求情報（状態要求情報）に関するユーザ操作を受け付けるように構成されている。そして、ユーザ操作により入力された情報は、ユニット間通信部４５を通じて、コントローラユニット５の第１通信部５１に送信される。
【００４６】
具体的には、ユーザ１０は、表示部４４を通じて、監視アプリを起動すると、表示部４４に、上記の情報に関するユーザ操作を、タッチ操作にて受けるための操作画面が表示される。鍵側制御部４０は、ユーザ１０が表示部４４にて選択（入力）した情報を、コントローラユニット５に送信する。
【００４７】
要するに、鍵装置４は、ユーザ１０が例えば帰宅時に鍵装置４を携帯した状態で開閉部材７１から一定の距離内に近づくと電気錠制御装置３と直接通信して自動的に施解錠を行う（鍵装置としての基本動作）だけではない。鍵装置４は、ユーザ１０が上記監視アプリを起動することで、コントローラユニット５とも通信を行うことが可能になる。そして、鍵装置４からコントローラユニット５を中継器として、電気錠２の施錠又は解錠を行うことができ、また、電気錠２の現在の状態を知ることができる。更に、ユーザ１０は、鍵装置４からコントローラユニット５を中継器として、各開閉装置６の開閉を行うことができ、また、各開閉装置６の現在の状態を知ることができる。なお、機器制御情報又は機器状態要求情報における対象となる開閉装置６を、４つの開閉装置６の各々から個別に選択できてもよいし、一括で選択できてもよい。
【００４８】
本実施形態では、錠状態要求情報や機器状態要求情報は、ユーザ１０が上記監視アプリを起動するとコントローラユニット５へ自動的に送信される。したがって、ユーザ１０は、上記監視アプリを起動すると直ちに電気錠２及び各開閉装置６の状態が一覧として確認できる。
【００４９】
ユーザ１０は、鍵装置４を携帯することで、帰宅時や外出時に電気錠制御装置３と直接通信して電気錠２の施錠又は解錠を行える。更に、ユーザ１０は、鍵装置４を用いて、例えば寝室や居間等のように、電気錠制御装置３から比較的離れた位置から、コントローラユニット５と通信して電気錠２の施錠又は解錠、並びに複数の開閉装置６の開閉を個別に又は一括して行える。更に、ユーザ１０は、鍵装置４を用いて、コントローラユニット５と通信して電気錠２及び各開閉装置６の現在の状態を知ることができる。
【００５０】
ところで、鍵装置４は、上述の通り、情報端末であるが、情報端末でなくてもよい。鍵装置４は、例えばユーザ１０が所持する鞄などに収容又は取付可能な電子タグ、あるいはＩＣ（Integrated Circuit）カード等であってもよい。鍵装置４が電子タグやＩＣカード等である場合、電気錠制御システム１は、鍵装置４とは別に更に鍵情報が付与されて上記監視アプリがインストールされたスマートフォン、タブレット端末等の通信端末を備えることが好ましい。
【００５１】
（２．５）開閉装置
４つの開閉装置６の各々は、図３Ａ〜３Ｄに示すように、管理領域９内における開放領域９０を開閉する。各開閉装置６は、図１に示すように、開閉装置６を制御する制御ユニット６４と共に、開閉システム６０を構成している。制御ユニット６４は、制御部６１、通信部６２、操作部６３、並びに、制御部６１及び通信部６２等を収容する筐体を有している。
【００５２】
制御部６１は、例えば、プロセッサ及びメモリを有するマイクロコンピュータで構成されている。つまり、制御部６１は、プロセッサ及びメモリを有するコンピュータシステムで実現されている。そして、プロセッサが適宜のプログラムを実行することにより、コンピュータシステムが制御部６１として機能する。プログラムは、メモリに予め記録されていてもよいし、インターネット等の電気通信回線を通じて、又はメモリカード等の非一時的な記録媒体に記録されて提供されてもよい。制御部６１は、開閉装置６、通信部６２、及び操作部６３等を制御する。
【００５３】
操作部６３は、例えばユーザ１０等の人による操作入力（ユーザ操作）を受け付ける機能を有している。本実施形態では、操作部６３は、制御ユニット６４の筐体に設けられた押釦スイッチ又はレバーで構成されている。制御ユニット６４がディスプレイ装置を有している場合には、操作部６３は、当該ディスプレイ装置に設けられたタッチパネルを有していてもよい。制御部６１は、操作部６３を通じて操作入力を受け付けると、操作入力に応じた制御信号を生成する。
【００５４】
通信部６２は、例えば有線通信により開閉装置６と通信するための第１通信インターフェースと、コントローラユニット５の（後述する）第３通信部５３と通信するための第２通信インターフェースと、を有している。制御部６１は、通信部６２の第１通信インターフェースを通じて、生成した上記制御信号を開閉装置６に出力する。開閉装置６の移動体（シャッター等）は、制御信号を受け取ると、制御信号内の指示に応じて、開放領域９０を開放する開位置（半開き等も含む）、又は開放領域９０を閉じる閉位置に移動する。
【００５５】
制御部６１は、通信部６２の第２通信インターフェースを通じて、コントローラユニット５から機器制御情報を含む第２制御信号、又は機器状態要求情報を含む第２要求信号を受信する。制御部６１は、第２制御信号を受信すると、当該信号に基づいて開閉装置６を制御するための信号を生成し、通信部６２の第１通信インターフェースを通じて、開閉装置６に出力する。また、制御部６１は、第２要求信号を受信すると、開閉装置６の状態を判断して、その判断結果をコントローラユニット５に返信する。制御部６１は、第１通信インターフェースを通じて、開閉装置６の状態を周期的に監視してもよい。
【００５６】
なお、操作部６３は、制御ユニット６４にとって必須の構成要素ではなく、設けられていなくてもよい。制御ユニット６４は、操作部６３の代わりに、又は、操作部６３に加えて、赤外線や電波等の無線で信号の送信を行う専用のリモートコントローラ（不図示）を備えていることが望ましい。リモートコントローラは、ユーザ１０等の人による操作入力（ユーザ操作）を受け付ける。この場合、通信部６２は、リモートコントローラからの信号を受信する第３通信インターフェースを有する。制御部６１は、通信部６２の第３通信インターフェースを通じて、操作入力を受け付けると、操作入力に基づいて制御信号を生成し、通信部６２の第１通信インターフェースを通じて、開閉装置６に出力する。
【００５７】
以下、４つの開閉装置６について、図３Ａ〜３Ｄを参照しながら説明する。
【００５８】
第１開閉装置６Ａは、図３Ａに示すように、窓の外側に設けられ、開放領域９０Ａを開閉する電動窓シャッターである。第１開閉装置６Ａは、上述した制御ユニット６４に相当する第１制御ユニット６４Ａと共に、第１開閉システム６０Ａを構成する。
【００５９】
第２開閉装置６Ｂは、図３Ｂに示すように、開放領域９０Ｂを開閉する電動窓サッシである。ここでは、第２開閉装置６Ｂは、一例として、建物７の側壁に設けられた引き違い窓であるが、設置場所や窓の種類は、特に限定されない。第２開閉装置６Ｂは、天窓であってもよい。第２開閉装置６Ｂは、縦すべり出し窓、又は横すべり出し窓等であってもよい。第２開閉装置６Ｂは、上述した制御ユニット６４に相当する第２制御ユニット６４Ｂと共に、第２開閉システム６０Ｂを構成する。
【００６０】
第３開閉装置６Ｃは、図３Ｃに示すように、開放領域９０Ｃを開閉する電動門扉である。開放領域９０Ｃは、管理領域９（敷地）においてユーザ１０等の人が出入りする出入口である。すなわち、第３開閉装置６Ｃは、建物７が建っている敷地と外（例えば道路）とを分け隔てる外壁に設けられた出入口を開閉する門扉である。ここでは、第３開閉装置６Ｃは、一例として、開き門扉であるが、横へスライド移動するスライド式の門扉であってもよい。第３開閉装置６Ｃは、上述した制御ユニット６４に相当する第３制御ユニット６４Ｃと共に、第３開閉システム６０Ｃを構成する。第３制御ユニット６４Ｃは、例えば門扉の内部に埋め込まれている。
【００６１】
第４開閉装置６Ｄは、図３Ｄに示すように、開放領域９０Ｄを開閉する、ガレージの電動ゲートである。開放領域９０Ｄは、管理領域９（敷地）内のガレージにおいてユーザ１０が所有する自動車や二輪車等の車両が出入りする出入口である。ここでは、第４開閉装置６Ｄは、一例として、跳ね上げタイプのゲートであるが、横方向又は上下方向へスライド移動するタイプであってもよい。第４開閉装置６Ｄは、上述した制御ユニット６４に相当する第４制御ユニット６４Ｄと共に、第４開閉システム６０Ｄを構成する。第４制御ユニット６４Ｄは、例えばゲートを支持する支持体の内部に埋め込まれている。
【００６２】
（２．６）コントローラユニット
コントローラユニット５は、電気錠２を制御する電気錠制御装置３と、４つの開閉装置６との制御及び監視を行う。具体的には、コントローラユニット５は、図１に示すように、制御部５０と、第１通信部５１と、第２通信部５２と、第３通信部５３と、を備えている。第２通信部５２及び第３通信部５３が、上の「（１）概要」の欄で説明した通り、第１出力部Ａ１及び第２出力部Ａ２にそれぞれ相当する。更に、コントローラユニット５は、図１に示すように、第１操作部５４と、第２操作部５５と、表示部５６（提示部Ｃ１）と、電源部５７と、記憶部５８と、を備えている。
【００６３】
制御部５０、第１〜第３通信部５１〜５３、電源部５７、記憶部５８等は、例えば、１つの筐体に収容されている。コントローラユニット５は、図２に示すように、一例として玄関扉（開閉部材７１）近くの内壁に設置されている。コントローラユニット５の設置場所は、建物７の内側（屋内）である限り、特に限定されない。コントローラユニット５は、例えば１階のインターホン親機の傍らに並んで設置されてもよいし、２階の居間や寝室に設置されていてもよい。ただし、配線（電線Ｓ１の引き回し）等を考慮して、設置場所は、開閉部材７１から数メートルから２０メートル程度の範囲内とすることが望ましい。
【００６４】
制御部５０は、例えば、プロセッサ及びメモリを有するマイクロコンピュータで構成されている。つまり、制御部５０は、プロセッサ及びメモリを有するコンピュータシステムで実現されている。そして、プロセッサが適宜のプログラムを実行することにより、コンピュータシステムが制御部５０として機能する。プログラムは、メモリに予め記録されていてもよいし、インターネット等の電気通信回線を通じて、又はメモリカード等の非一時的な記録媒体に記録されて提供されてもよい。制御部５０は、第１〜第３通信部５１〜５３、第１操作部５４、第２操作部５５、表示部５６、及び電源部５７等を制御する。
【００６５】
第１通信部５１は、鍵装置４と無線通信するための通信インターフェースである。第１通信部５１は、上述した通り、鍵装置４のユニット間通信部４５との間で、例えばＢＬＥの規格に準拠した無線通信を行うように構成されている。第１通信部５１は、錠制御情報、錠状態要求情報、機器制御情報、及び機器状態要求情報（状態要求情報）を含む信号（第１制御信号、第１要求信号、第２制御信号、第２要求信号）を、鍵装置４から受信するように構成されている。第１通信部５１は、鍵装置４から、これらの情報のいずれかを受信すると同時に、その鍵装置４の固有の識別情報、及び鍵情報も受信するように構成されている。コントローラユニット５は、電気錠制御装置３に登録されている登録情報（各鍵装置４の識別情報及び認証情報）に関するデータを、鍵装置４から上記情報を受信したことをトリガーとして、あるいは、定期的に取得する。そして、制御部５０は、電気錠制御装置３の登録情報と、鍵装置４から受信した識別情報及び鍵情報とを照合する（コントローラ側認証処理）。
【００６６】
第２通信部５２（第１出力部Ａ１）は、電線Ｓ１の信号ラインを通じて、電気錠制御装置３と有線通信するための通信インターフェースである。制御部５０は、第１通信部５１を通じて鍵装置４から第１制御信号及び／又は第１要求信号を受信し、更に上記コントローラ側認証処理による認証に成功すると、第２通信部５２を通じてその情報を電気錠制御装置３のユニット間通信部３３へ転送する。つまり、コントローラユニット５は、鍵装置４から電気錠制御装置３への、錠制御情報及び錠状態要求情報の中継器となる。また、電気錠制御装置３にとっては、コントローラユニット５を経由して転送されてくる錠制御情報については、認証部３０１で認証処理を行わずに、即座に錠制御情報に基づいて電気錠２の施錠又は解錠を行う。
【００６７】
第３通信部５３（第２出力部Ａ２）は、各開閉システム６０と無線通信するための通信インターフェースである。第３通信部５３は、各開閉システム６０の通信部６２との間で、例えばＢＬＥの規格に準拠した無線通信を行うように構成されている。制御部５０は、第１通信部５１を通じて鍵装置４から第２制御信号及び／又は第２要求信号を受信し、更に上記コントローラ側認証処理による認証に成功すると、第３通信部５３を通じてその情報を、対象となる開閉システム６０の通信部６２へ転送する。つまり、コントローラユニット５は、鍵装置４から開閉システム６０への、機器制御情報及び機器状態要求情報の中継器となる。
【００６８】
表示部５６は、例えば液晶ディスプレイ、有機ＥＬディスプレイ等の薄型ディスプレイ装置である。表示部５６は、制御部５０によって表示内容が制御される。ここでは、表示部５６は、タッチパネル式のディスプレイ装置である。
【００６９】
電源部５７は、図１に示すように、交流電源１５０（例えば商用電源）から供給される交流電力を直流電力に変換し、コントローラユニット５自身の動作電力（制御電源）を生成する。また、電源部５７は、電気錠制御装置３用の動作電力を生成する。制御部５０は、電源部５７で生成された電気錠制御装置３用の動作電力を、電線Ｓ１の電源ラインを通じて、電気錠制御装置３へ供給する。
【００７０】
記憶部５８は、例えばＥＥＰＲＯＭ、フラッシュメモリ等の不揮発性メモリにて構成されている。記憶部５８は、電気錠制御装置３に割り当てられた個別の識別情報を記憶している。また、記憶部５８は、電気錠制御装置３に登録されている１又は複数の鍵装置４に関する登録情報（各鍵装置４の識別情報及び認証情報）を一時的に記憶していてもよい。記憶部５８は、制御部５０が有するメモリであってもよい。
【００７１】
コントローラユニット５が再起動（リブート）されたときには、制御部５０は、接続中の電気錠制御装置３から電気錠制御装置３の識別情報を受け取り、記憶部５８内の識別情報と照合して、接続中の装置が正しい電気錠制御装置３であるか否かを確認する。同様に、電気錠制御装置３においても、錠側記憶部３２は、コントローラユニット５に割り当てられた個別の識別情報を記憶している。コントローラユニット５の再起動時には、電気錠制御装置３は、接続中のコントローラユニット５からコントローラユニット５の識別情報を受け取り、錠側記憶部３２内の識別情報と照合して、接続中の装置が正しいコントローラユニット５であるか否かを確認する。
【００７２】
ここで、コントローラユニット５は、ユーザ操作を直接受け付ける第１入力部Ｂ１及び第２入力部Ｂ２を備えている。本実施形態では、第１操作部５４及び第２操作部５５が、第１入力部Ｂ１及び第２入力部Ｂ２にそれぞれ相当する。
【００７３】
第１操作部５４は、例えば、コントローラユニット５の筐体前面に設けられた押し釦スイッチから構成されている。第１操作部５４は、錠制御情報に関するユーザ操作を、直接受け付ける第１入力部Ｂ１として機能する。具体的には、第１操作部５４は、図４Ａに示すように、例えば、電気錠２を解錠するための解錠釦５４０と、電気錠２を施錠するための施錠釦５４１とを有している。また、第１操作部５４は、電気錠２の状態を確認するための状態確認釦５４２を有している。なお、状態確認釦５４２は、必須の構成要素ではなく、設けられていなくてもよい。
【００７４】
第２操作部５５は、第１操作部５４とは異なるインターフェースである。第２操作部５５は、例えば、コントローラユニット５の筐体前面に設けられた、第１操作部５４とは別の押し釦スイッチから構成されている。第２操作部５５は、機器制御情報、又は機器状態要求情報に関するユーザ操作を、直接受け付ける第２入力部Ｂ２として機能する。具体的には、第２操作部５５は、図４Ｂに示すように、４つの開閉装置６Ａ〜６Ｄにそれぞれ一対一で対応し、現在の状態を開状態又は閉状態に切り替える、４つの制御釦（第１〜第４制御釦５５０Ａ〜５５０Ｄ）を有している。また、第２操作部５５は、４つの開閉装置６の現在の状態を一覧として表示部５６に表示（提示）させる、状態確認釦５５１を有している。
【００７５】
（３）動作の説明
（３．１）コントローラユニットへの操作
以下、ユーザ１０が、コントローラユニット５の第１操作部５４、及び第２操作部５５を用いて、錠制御情報、錠状態要求情報、機器制御情報、及び機器状態要求情報に関する操作を行う場合における使用手順、及び動作について、図５を参照しながら説明する。なお、以下に説明するコントローラユニット５の使用手順は、単なる一例であり、特に限定されるものではない。
【００７６】
まず、コントローラユニット５を用いて、電気錠２の状態確認を行う場合について、図５に示すシーケンス図を参照しながら説明する。
【００７７】
ユーザ１０が、第１操作部５４の状態確認釦５４２を押し操作する（ステップＳ１）と、コントローラユニット５の制御部５０は、その押し操作に基づいて錠状態要求情報を含む第１要求信号を生成する。制御部５０は、第２通信部５２から電線Ｓ１の信号ラインを通じて、生成した第１要求信号を、電気錠制御装置３へ出力する（ステップＳ２）。
【００７８】
電気錠制御装置３は、第１要求信号を受け取ると、電気錠２の状態を確認するための確認信号を電気錠２に送信する（ステップＳ３）。その後、電気錠制御装置３は、電気錠２から施錠又は解錠の状態を示す応答信号を受信する（ステップＳ４）と、その応答信号に基づいて電気錠２が施錠状態か又は解錠状態かを判断する（ステップＳ５）。そして、電気錠制御装置３は、その判断結果をコントローラユニット５に返信する（ステップＳ６）。
【００７９】
コントローラユニット５の制御部５０は、電気錠制御装置３から電気錠２の状態の判断結果を受け取ると、表示部５６を通じて、電気錠２の状態を提示する。表示部５６は、例えば「玄関扉の状態：現在、解錠状態です。」といったメッセージを表示する。なお、表示部５６を通じた提示の代わりに、音声にてユーザに通知されてもよい。ただし、表示部５６で提示する方が、ユーザ１０にとっては視覚的に確認できるため、利便性は良い。
【００８０】
本実施形態のようにコントローラユニット５が開閉部材７１から比較的近い位置に設置されている場合（図２参照）は、コントローラユニット５を用いて、電気錠２の状態確認を行うことは、使用頻度としては少ないかもしれない。しかし、例えば、コントローラユニット５が２階の寝室等に設置されている場合、寝室等から電気錠２の状態確認が行えることは、ユーザ１０にとって利便性が高いと言える。
【００８１】
続いて、コントローラユニット５を用いて、電気錠２の解錠、又は施錠を行う場合について、図５に示すシーケンス図を参照しながら説明する。以下では、一例として、上述した「玄関扉：現在、解錠状態です。」というメッセージが提示されて、ユーザ１０が、コントローラユニット５を用いて、解錠状態にある電気錠２を施錠するケースを想定して説明する。
【００８２】
ユーザ１０が、第１操作部５４の施錠釦５４１を押し操作する（ステップＳ８）と、制御部５０は、その押し操作に基づいて錠制御情報を含む第１制御信号を生成する。制御部５０は、第２通信部５２から電線Ｓ１の信号ラインを通じて、生成した第１制御信号を、電気錠制御装置３へ出力する（ステップＳ９）。電気錠制御装置３は、第１制御信号を受け取ると、第１制御信号に基づいて施錠信号（又は単に現在の状態の切り替えを実行させる施解錠信号）を生成し、電気錠２に送信する（ステップＳ１０）。その結果、電気錠２は施錠される（ステップＳ１１）。なお、電気錠２の解錠を行う場合には、ユーザ１０が解錠釦５４０を押し操作することで、電気錠制御装置３が解錠信号を電気錠２に送信し、電気錠２が解錠される（ステップＳ１２〜Ｓ１５参照）。
【００８３】
なお、第１操作部５４は、施錠釦５４１と解錠釦５４０とを有する代わりに、電気錠２の現在の状態を解錠状態又は施錠状態に切り替える１つの釦のみを有していてもよい。
【００８４】
次に、コントローラユニット５を用いて、各開閉装置６の状態確認を行う場合について、図６に示すシーケンス図を参照しながら説明する。
【００８５】
ユーザ１０が、第２操作部５５の状態確認釦５５１を押し操作する（ステップＳ２１）と、コントローラユニット５の制御部５０は、その押し操作に基づいて機器状態要求情報を含む第２要求信号を生成する。制御部５０は、第３通信部５３から無線通信により、生成した第２要求信号を、４つ全ての開閉システム６０の制御ユニット６４へ順次出力する（ステップＳ２２）。なお、図６では、説明を簡略化するために、代表して、第１開閉システム６０Ａの第１制御ユニット６４Ａ及び第１開閉装置６Ａのみを図示する。
【００８６】
第１制御ユニット６４Ａは、第２要求信号を受け取ると、第１開閉装置６Ａの状態を確認するための確認信号を第１開閉装置６Ａに送信する（ステップＳ２３）。その後、第１制御ユニット６４Ａは、第１開閉装置６Ａから開状態又は閉状態を示す応答信号を受信する（ステップＳ２４）と、その応答信号に基づいて第１開閉装置６Ａが開状態又は閉状態かを判断する（ステップＳ２５）。そして、第１制御ユニット６４Ａは、その判断結果をコントローラユニット５に返信する（ステップＳ２６）。
【００８７】
コントローラユニット５の制御部５０は、４つ全ての開閉システム６０から各開閉装置６の状態の判断結果を受け取ると、表示部５６を通じて、４つの開閉装置６の状態を提示する。表示部５６は、例えば「居間のシャッター：現在、開状態です。」といったメッセージを全ての開閉装置６について一覧で表示する。なお、表示部５６を通じた提示の代わりに、音声にてユーザに通知されてもよい。また、例えば開状態にある開閉装置６についてだけ通知してもよい。
【００８８】
本実施形態では、状態確認釦５５１の数は１つであるが、各開閉装置６にそれぞれ対応した状態確認釦が、開閉装置６の数だけ設けられていてもよい。また、コントローラユニット５は、表示部５６へのタッチ操作を通じて、４つの開閉装置６の中から、状態確認を行いたい対象の開閉装置６を選択できるように構成されてもよい。
【００８９】
最後に、コントローラユニット５を用いて、各開閉装置６の開閉を行う場合について、図６に示すシーケンス図を参照しながら説明する。以下では、一例として、上述した「居間のシャッター：現在、開状態です。」というメッセージが提示されて、ユーザ１０が、コントローラユニット５を用いて、開状態にある第１開閉装置６Ａを閉状態にするケースを想定して説明する。
【００９０】
ユーザ１０が、第２操作部５５の第１制御釦５５０Ａを押し操作する（ステップＳ２８）と、制御部５０は、その押し操作に基づいて機器制御情報を含む第２制御信号を生成する。制御部５０は、第３通信部５３から無線通信により、生成した第２制御信号を、第１制御ユニット６４Ａへ出力する（ステップＳ２９）。第１制御ユニット６４Ａは、第２制御信号を受け取ると、第２制御信号に基づいて切替信号（制御信号）を生成し、第１開閉装置６Ａに送信する（ステップＳ３０）。第１開閉装置６Ａは、切替信号を受け取ると、現在の状態が開状態であれば閉状態へ（閉状態であれば開状態へ）切り替える動作（この場合、閉動作）を実行する（ステップＳ３１）。なお、ユーザ１０が再び第２操作部５５の第１制御釦５５０Ａを押し操作すると、第１開閉装置６Ａは、再び現在の状態を切り替える動作（この場合、開動作）を実行する（ステップＳ３２〜Ｓ３５参照）。
【００９１】
図示は省略するが、コントローラユニット５は、電気錠２及び各開閉装置６の制御結果を、電気錠制御装置３及び各制御ユニット６４から受け取り、表示部５６にてユーザ１０に提示することが望ましい。
【００９２】
また、コントローラユニット５は、解錠状態にある電気錠２及び開状態にある開閉装置６を全て一括で、施錠状態及び閉状態へ切り替え可能な、一括制御釦を有していることが望ましい。この場合、ユーザ１０は、例えば就寝前又は外出時に、電気錠２の状態や各開閉装置６の状態を表示部５６で確認してから、制御対象となる機器を選択するといった手間を省くことができる。
【００９３】
なお、コントローラユニット５が直接操作入力を受け付ける場合には、認証処理は行われない。
【００９４】
管理領域内には、一般的に、玄関扉以外にも、電動窓シャッターや電動窓サッシ、電動門扉、ガレージの電動ゲート等の開放領域を開閉する開閉装置がある。これらの開閉装置の開閉制御は、開閉装置の近くまで出向き、その傍らに配されている制御ユニットを直接操作するか、又は制御ユニットと無線通信するリモートコントローラを操作する必要がある。そのため、ユーザにとっては煩雑な作業となる可能性がある。これに対して、本実施形態のコントローラユニット５は、第１出力部Ａ１及び第２出力部Ａ２を備えているため、電気錠２と４つの開閉装置６とを集中的に制御及び監視することができる。したがって、電気錠２と共に種々の機器について、セキュアを確保しつつ、利便性の向上を図ることができる。
【００９５】
（３．２）鍵装置への操作
以下、ユーザ１０が、情報端末である鍵装置４を用いて、錠制御情報、錠状態要求情報、機器制御情報、及び機器状態要求情報に関する操作を行う場合における使用手順、及び動作について、図７を参照しながら説明する。なお、以下に説明する鍵装置４の使用手順は、単なる一例であり、特に限定されるものではない。
【００９６】
まず、ユーザ１０は、鍵装置４の表示部４４を通じて、監視アプリを起動する（ステップＳ５１）。すると、鍵装置４の制御部５０は、自動的に、コントローラユニット５に対して無線通信により、錠状態要求情報、機器状態要求情報、及び鍵装置４の登録情報を含む第３要求信号を送信する（ステップＳ５２）。
【００９７】
コントローラユニット５は、第３要求信号に含まれる登録情報に対して、コントローラ側認証処理を実行する（ステップＳ５３）。認証に成功すれば、コントローラユニット５は、第１要求信号を電気錠制御装置３へ、第２要求信号を各開閉システム６０へ順次送信する（ステップＳ５４、Ｓ５５）。なお、図７では、説明を簡略化するために、代表して、第１開閉システム６０Ａのみを図示する。コントローラユニット５は、電気錠制御装置３及び各開閉システム６０から結果の返信を受けると（ステップＳ５６、Ｓ５７）、当該結果に基づいて状態信号を生成し、鍵装置４に送信する（ステップＳ５８）。
【００９８】
鍵装置４の制御部５０は、コントローラユニット５から受け取った状態信号に基づいて電気錠２の状態、及び全ての開閉装置６の状態を示す表示データを生成し、表示部４４にて提示する（ステップＳ５９）。その結果、ユーザ１０は、監視アプリを起動すると直ちに電気錠２及び各開閉装置６の状態が一覧として確認できる。なお、表示部４４を通じた提示の代わりに、音声にてユーザに通知されてもよい。ただし、表示部４４で提示する方が、ユーザ１０にとっては視覚的に確認できるため、利便性は良い。
【００９９】
次に、ユーザ１０は、一覧で提示された現在の電気錠２の状態、及び全ての開閉装置６の状態を確認し、現在の状態を変えたい機器（制御対象）があれば、鍵装置４の表示部４４へのタッチ操作を通じて、当該機器を選択する。例えば、ユーザ１０が、電気錠２を施錠から解錠に変えたい場合、表示部４４において「玄関扉」という文字表示されているエリアをタッチすると（ステップＳ６０）、「施錠／解錠」を示す表示釦がポップアップ表示され、「解錠」を選択することが可能となる。
【０１００】
例えば、ユーザ１０がポップアップ表示された「解錠」の表示釦をタッチすると（ステップＳ６１）、錠制御情報を含む第３制御信号をコントローラユニット５へ送信する（ステップＳ６２）。なお、認証は、監視アプリの起動後、ステップＳ５３で既に行われているため、コントローラユニット５は、第３制御信号を受信すると即座に電気錠制御装置３へ第１制御信号を送信する（ステップＳ６３）。その結果、電気錠２が解錠される。
【０１０１】
また、例えば、ユーザ１０が、第１開閉装置６Ａを閉状態から開状態に変えたい場合、表示部４４において「シャッター」という文字表示されているエリアをタッチする（ステップＳ６４）。すると、「開／閉」を示す表示釦がポップアップ表示され、「開」を選択することが可能となる。
【０１０２】
例えば、ユーザ１０がポップアップ表示された「開」の表示釦をタッチすると（ステップＳ６５）、機器制御情報を含む第４制御信号をコントローラユニット５へ送信する（ステップＳ６６）。コントローラユニット５は、第４制御信号を受信すると即座に第１開閉システム６０Ａへ第２制御信号を送信する（ステップＳ６７）。その結果、第１開閉装置６Ａが開かれる。
【０１０３】
なお、説明するまでもなく、監視アプリの起動後、自動的に電気錠２及び各開閉装置６の状態が提示されなくてもよい。鍵装置４は、状態を表示する対象の機器がユーザ操作により選択されてから、その機器の状態が表示されてもよい。
【０１０４】
このように、情報端末である鍵装置４がユーザ操作を受け付けると、第１出力部Ａ１及び第２出力部Ａ２を備えたコントローラユニット５は、中継器としても機能する。したがって、ユーザ１０にとっては、鍵装置４を通じて、簡単に機器の状態の確認や制御を行うことができ、利便性が更に向上される。
【０１０５】
（４）変形例
以下に、いくつかの変形例について列記する。以下では上述した実施形態を「基本例」と呼ぶ。
【０１０６】
基本例では、第１出力部Ａ１及び第２出力部Ａ２は、コントローラユニット５に設けられていた。しかし、コントローラユニット５は、電気錠制御システム１にとって必須の構成要素ではない。コントローラユニット５が設けられていない場合、第１出力部Ａ１及び第２出力部Ａ２は、電気錠制御装置３に設けられていてもよい。この場合、電気錠制御装置３が、各開閉システム６０の制御ユニット６４と有線又は無線により通信するように構成される。そして、鍵装置４から例えば第４制御信号を受信すると、電気錠制御装置３が開閉システム６０へ第２制御信号を送信してもよい。また、コントローラユニット５の機能の全てが、電気錠制御装置３内に組み込まれていてもよい。
【０１０７】
また、コントローラユニット５が設けられていない場合、第１出力部Ａ１及び第２出力部Ａ２は、鍵装置４に設けられていてもよい。この場合、鍵装置４が、各開閉システム６０の制御ユニット６４と無線により通信するように構成される。鍵装置４は、ユーザ操作に応じて、第１要求信号及び第１制御信号を電気錠制御装置３へ送信し、また、第２要求信号及び第２制御信号を開閉システム６０へ送信するように構成される。
【０１０８】
基本例では、操作ユニット８は、開閉部材７１の外側に配置されているが、内側に配置されていてもよい。この場合、第１出力部Ａ１及び第２出力部Ａ２は、コントローラユニット５の代わりに、操作ユニット８に設けられていてもよい。操作ユニット８は、コントローラユニット５の第１入力部Ｂ１及び第２入力部Ｂ２に相当する、押し釦スイッチから構成された２つの操作部を有していてもよい。また、操作ユニット８が、鍵装置４及び各開閉システム６０の制御ユニット６４と無線により通信するように構成されてもよい。
【０１０９】
基本例では、第１出力部Ａ１及び第２出力部Ａ２は、その両方が、コントローラユニット５に設けられていた。しかし、第１出力部Ａ１及び第２出力部Ａ２は、別々に分散して設けられていてもよい。例えば、第１出力部Ａ１及び第２出力部Ａ２の一方が、コントローラユニット５に、他方は電気錠制御装置３又は鍵装置４に設けられていてもよい。同様に、第１入力部Ｂ１及び第２入力部Ｂ２の一方が、コントローラユニット５に、他方は電気錠制御装置３又は鍵装置４に設けられていてもよい。
【０１１０】
基本例では、電気錠制御システム１は、４つの開閉装置６の制御とそれらの状態に関する情報の提示との両方を行えるように構成されていたが、いずれか一方のみを行えるように構成されてもよい。例えば、電気錠制御システム１は、開閉装置６に関しては、状態の提示のみを行うように構成されていてもよい。
【０１１１】
基本例では、鍵装置４の監視アプリの起動後、第３要求信号を受け取ると、コントローラユニット５が認証処理を行なっていたが、この認証処理は、電気錠制御装置３に任せてもよい。要するに、コントローラ側認証処理は、必須ではなく、コントローラユニット５は、第３要求信号に含まれている鍵装置４の登録情報を、電気錠制御装置３へ一度転送して、電気錠制御装置３に認証処理を行わせてもよい。
【０１１２】
また、基本例では、鍵装置４からの第３要求信号や、第３制御信号、第４制御信号は、全てコントローラユニット５に直接送信されていた。しかし、電気錠制御装置３で認証処理を行う場合には、これらの信号は、先に鍵装置４から電気錠制御装置３へ送信するように構成されてもよい。コントローラユニット５は、電気錠制御装置３を経由してこれらの信号を受けてもよい。
【０１１３】
基本例では、コントローラユニット５は、第１入力部Ｂ１及び第２入力部Ｂ２として、押し釦スイッチである第１操作部５４及び第２操作部５５を備えていた。しかし、第１操作部５４及び第２操作部５５は、必須の構成要素ではない。タッチパネル式のディスプレイ装置である表示部５６が、第１入力部Ｂ１及び第２入力部Ｂ２として機能してもよい。ただし、操作性や利便性を考慮すれば、第１操作部５４及び第２操作部５５が、互いに異なるインターフェース（例えば異なる押し釦スイッチ）により構成される方が望ましい。
【０１１４】
あるいは、コントローラユニット５は、第１操作部５４及び第２操作部５５、並びに表示部５６を備えない通信ユニットとして提供されてもよい。
【０１１５】
基本例におけるコントローラユニット５、電気錠制御装置３、及び鍵装置４と同様の機能は、制御方法、表示方法、コンピュータプログラム、又はプログラムを記録した非一時的な記録媒体等で具現化されてもよい。ここで、コントローラユニット５、電気錠制御装置３、鍵装置４、制御方法、又は表示方法の実行主体は、コンピュータシステムを含んでいる。コンピュータシステムは、ハードウェアとしてのプロセッサ及びメモリを主構成とする。コンピュータシステムのメモリに記録されたプログラムをプロセッサが実行することによって、コントローラユニット５、電気錠制御装置３、鍵装置４、制御方法、又は表示方法の実行主体としての機能が実現される。プログラムは、コンピュータシステムのメモリに予め記録されていてもよいが、電気通信回線を通じて提供されてもよいし、コンピュータシステムで読み取り可能なメモリカード、光学ディスク、ハードディスクドライブ等の記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１１６】
また、基本例のコントローラユニット５、電気錠制御装置３、及び鍵装置４の各々は、１つの装置で実現されているが、この構成に限定されない。例えば、コントローラユニット５、電気錠制御装置３、及び鍵装置４の各々の機能のうちの少なくとも１つの機能が、２つ以上の装置に分散して設けられてもよい。また、コントローラユニット５及び鍵装置４の各々における少なくとも一部の機能は、例えば、クラウド（クラウドコンピューティング）によって実現されてもよい。
【０１１７】
（５）利点
以上説明したように、第１の態様に係る電気錠制御システム（１）は、第１出力部（Ａ１）と、第２出力部（Ａ２）と、を備える。第１出力部（Ａ１）は、建物（７）の開口部（７０）を開閉する開閉部材（７１）を施錠又は解錠する電気錠（２）を制御する錠制御情報を出力する。第２出力部（Ａ２）は、電気錠（２）以外の少なくとも１つの機器（開閉装置６）を制御する機器制御情報、又は当該機器の状態に関する情報を要求する状態要求情報を出力する。第１の態様によれば、電気錠（２）と共に種々の機器について、セキュアを確保しつつ、利便性の向上を図ることができる。
【０１１８】
第２の態様に係る電気錠制御システム（１）は、第１の態様において、第１入力部（Ｂ１）と、第２入力部（Ｂ２）と、を更に備えることが好ましい。第１入力部（Ｂ１）は、錠制御情報に関するユーザ操作を受け付ける。第２入力部（Ｂ２）は、機器制御情報又は状態要求情報に関するユーザ操作を受け付ける。第２の態様によれば、ユーザにとっては、電気錠制御システム（１）を通じて錠制御情報と機器に関する情報（機器制御情報又は状態要求情報）との両方を入力することができるため、利便性が更に向上される。
【０１１９】
第３の態様に係る電気錠制御システム（１）に関して、第２の態様において、第１入力部（Ｂ１）と第２入力部（Ｂ２）とは、互いに異なるインターフェースにより構成されていることが好ましい。第３の態様によれば、例えばタッチパネルのように同じインターフェースにより構成される場合に比べて、操作性、及び利便性が向上される。
【０１２０】
第４の態様に係る電気錠制御システム（１）は、第１〜第３の態様のいずれか１つにおいて、通信インターフェース（第２通信部５２、第３通信部５３）を、更に備えることが好ましい。通信インターフェースは、錠制御情報、機器制御情報及び状態要求情報のうち少なくとも１つに関するユーザ操作を受け付ける通信端末（鍵装置４）と無線通信する。第４の態様によれば、錠制御情報、機器制御情報及び状態要求情報のうち少なくとも１つに関して、リモートによる入力が可能となり、利便性が更に向上される。
【０１２１】
第５の態様に係る電気錠制御システム（１）は、第１〜第４の態様のいずれか１つにおいて、電気錠（２）への動作電力を供給する電源部（５７）を、更に備えることが好ましい。第５の態様によれば、電気錠（２）への電力の供給源が電気錠制御システム（１）とは別に設けられている場合に比べて、構成や配線の簡略化を図ることができる。
【０１２２】
第６の態様に係る電気錠制御システム（１）は、第１〜第５の態様のいずれか１つにおいて、通信インターフェース（第１通信部５１）と、記憶部（錠側記憶部３２）と、認証部（３０１）と、を更に備えることが好ましい。通信インターフェースは、電気錠（２）の施錠又は解錠を許可する鍵情報が付与された鍵装置（４）と無線通信する。認証部（３０１）は、鍵装置（４）から受信した鍵情報に対する認証処理を実行する。第６の態様によれば、セキュアの低下がより抑制される。
【０１２３】
第７の態様に係る電気錠制御システム（１）は、第１〜第６の態様のいずれか１つにおいて、提示部（表示部５６、４４）を、更に備えることが好ましい。提示部は、電気錠（２）の状態に関する情報、電気錠（２）の制御に関する情報、機器（開閉装置６）の状態に関する情報、及び機器の制御に関する情報のうち少なくとも１つを、提示する。第７の態様によれば、ユーザは、電気錠（２）や機器に関する情報を視覚的に確認することができる。
【０１２４】
第８の態様に係る電気錠制御システム（１）に関して、第１〜第７の態様のいずれか１つにおいて、機器は、建物（７）を含む管理領域（９）内における開放領域（９０）を開閉する開閉装置（６）であることが好ましい。第８の態様によれば、電気錠（２）と共に開閉装置（６）について、管理領域（９）内のセキュアを確保しつつ、利便性の向上を図ることができる。特に、開閉装置（６）は、電動窓シャッター、電動窓サッシ、電動門扉、及びガレージの電動ゲートのうちの少なくとも１つであることが好ましい。
【０１２５】
第９の態様に係る表示方法は、第１の態様の電気錠制御システム（１）と無線通信し、かつ、表示部（４４）を有した情報端末（鍵装置４）における、当該表示部（４４）への表示方法である。情報端末には、電気錠（２）の施錠又は解錠を許可する鍵情報が付与されている。当該表示方法は、電気錠（２）の状態又は電気錠（２）の制御に関する情報を、表示部（４４）に表示する第１ステップと、機器（開閉装置６）の状態又は機器の制御に関する情報を、表示部（４４）に表示する第２表示ステップと、を有する。第９の態様によれば、電気錠（２）と共に種々の機器について、セキュアを確保しつつ、利便性の向上を図ることができる表示方法を提供できる。
【０１２６】
第１０の態様に係るプログラムは、第１の態様の電気錠制御システム（１）と無線通信し、かつ、表示部（４４）を有した情報端末（鍵装置４）における表示機能を、コンピュータシステムに実行させるプログラムである。当該プログラムは、電気錠（２）の状態又は電気錠（２）の制御に関する情報を、表示部（４４）に表示させる第１ステップと、機器（開閉装置６）の状態又は機器の制御に関する情報を、表示部（４４）に表示させる第２表示ステップと、含む。第１０の態様によれば、電気錠（２）と共に種々の機器について、セキュアを確保しつつ、利便性の向上を図ることができるプログラムを提供できる。
【符号の説明】
【０１２７】
１  電気錠制御システム
Ａ１  第１出力部
Ａ２  第２出力部
Ｂ１  第１入力部
Ｂ２  第２入力部
２  電気錠
３０１  認証部
３２  錠側記憶部（記憶部）
４  鍵装置（通信端末、情報端末）
４４  表示部（提示部）
５１  第１通信部（通信インターフェース）
５２  第２通信部（通信インターフェース）
５３  第３通信部（通信インターフェース）
５６  表示部（提示部）
５７  電源部
６  開閉装置（機器）
７  建物
７０  開口部
７１  開閉部材
９  管理領域
９０  開放領域
【図１】
2019108683.tif 000003
【図２】
2019108683.tif 000004
【図３】
2019108683.tif 000005
【図４】
2019108683.tif 000006
【図５】
2019108683.tif 000007
【図６】
2019108683.tif 000008
【図７】
2019108683.tif 000009